Podtech/llm-jp-corpus-v4-ja_patent huggingface dataset:
(57)【要約】      （修正有）【課題】食器本体が調味料の役目を果たし、味付けができる岩塩食器を提供する。【解決手段】食塩として使われている岩塩を食器の形に加工し、その岩塩食器の内側Ａに料理物をすりつける事で岩塩が料理物に付着し塩味で食べる事ができる。液状の調味料を使う場合、例えばたれやシロップを入れると岩塩がたれやシロップに溶けて塩味を増す事ができる。このように岩塩食器を使う事により、陶器や陶磁器製の食器を使わず、食器の機能と味付けの２つを兼用する事ができる。【選択図】図１
0003187808.tif 000002
【実用新案登録請求の範囲】
【請求項１】
食塩である岩塩を皿や器のように食器型に加工する事により食器と味付けの２つの機能を持つ事を特徴とする岩塩食器
【請求項２】
前記、請求項１の形状に飲料を入れて飲む事により溶け込んだ岩塩の主成分である塩分やミネラル補給ができる事を特徴とする請求事項１記載の岩塩食器
【考案の詳細な説明】
【技術分野】
【０００１】本考案は、調味料と食器を兼用できる岩塩食器の構成に関する。
【背景技術】
【０００２】刺身、野菜サラダ、焼肉等を塩味で食べる料理物がある。
使う塩は、一般の食塩以外に岩塩鉱床から採掘された天然の岩塩があり、塩分やミネラルを含む食塩として使われている。
それらの料理物は、陶器や陶磁器製の食器と、粉末状の岩塩の２つが使われており、食べ方や味付けの方法は一般的に同じである。
【考案の概要】
【考案が解決しようとする課題】
【０００３】本考案は、食器本体が調味料の役目を果たし、味付けができる食器を提供する事にある。
【課題を解決するための手段】
【０００４】上記の課題を解決すべく本考案者は鋭意検討した結果、上記の課題は次のような手段によって解決出来る事がわかった。
食塩として使われている岩塩を食器の形（岩塩食器）に加工し、表面に水気がある料理物例えば、刺身や野菜サラダ等を直接岩塩食器の内側にすりつける事で料理物に岩塩が付着する、これにより塩味で食べる事ができる。【０００５】岩塩食器に液状の調味料を使う場合、例えば、たれやシロップ等を入れると岩塩がそれらの液状の調味料に溶けて塩味を増す事ができる。
【考案の効果】
【０００６】岩塩食器を使う事により、陶器や陶磁器製の食器を使わず、食器の機能と味付けの２つを兼用する事ができる。【０００７】岩塩食器は、そのものが調味料の素材と言う事から今までとは異なる食べ方が楽しめる。【０００８】岩塩食器使用後は、水で付着物を洗い流し乾燥する事により複数回使用する事ができる。【０００９】料理物以外にジュース、お酒等の飲料を入れて使用する事もできる。
飲料を岩塩食器に入れる事により塩分やミネラルが飲料に溶けそれを飲む事により夏は熱中症の予防として使用できる。
【考案を実施するための形態】
【００１０】本案件の岩塩食器は、器型に加工された岩塩食器であり、刺身・野菜サラダ等表面に水気がある料理物の場合、液状の調味料を使わず岩塩食器の内側に料理物をすりつけて岩塩を溶かし付着させて塩味で食べる事ができる、また、液状の調味料を入れる事により岩塩が液状の調味料に溶け込み塩味を増す事ができる。
【００１１】岩塩食器の厚みは、軽度の衝撃に耐えられる厚みにする、薄い箇所で１０ｍｍ以上が望ましい、厚みが１０ｍｍ未満の場合、軽度の衝撃でヒビが発生しやすく液状の調味料がヒビに入り込み漏れの原因になる事などの理由からである。
【実施例】
【００１２】以下本考案を図面を用いて詳細に説明する。
（図１）器型に岩塩を加工する、全体であるＢ部分の素材はすべて岩塩とする。
Ａ部分に料理物や液状の調味料を入れて味付けする構造とする、液状の調味料は、Ｃ部分からＡ部分に入れる。
Ｄ部分を持って移動や、口元に運ぶ。
（図２）Ｅの厚みは、１０ｍｍ以上で、全体を安定させる為にＦの厚みは２０ｍｍ以上とする。
【産業上の利用可能性】
【００１３】本考案では、主に液状の調味料を入れる器の説明となっているが、他にいろいろな使い方が考えられる。
アイスクリームやお汁粉等の甘いものは塩辛くならず甘みがでる為濃厚な味が楽しめる。
小鉢としていろいろな料理を盛り付ける事ができる。
塩は防腐効果がある為、食材の保管容器としても使う事ができる。
岩塩は加工が容易な為、サラダボウル、ワイングラス、茶碗、湯飲み、オードブル盛り付け皿等のような形に加工すると、いろいろな料理物、飲料に使う事ができる。
【図面の簡単な説明】
【００１４】
【図１】本考案の実施例に係る斜視図である。
【図２】本考案の実施例に係る断面図である。
【符号の説明】
【００１５】Ａ：岩塩食器内側
Ｂ：全体の素材
Ｃ：入れる方向
Ｄ：手で持つ部分
Ｅ：側面の厚み
Ｆ：底面の厚み
【図１】
0003187808.tif 000003
【図２】
0003187808.tif 000004
(57)【要約】      （修正有）【課題】従来からある豆腐の表面に、模様を付けた模様付き豆腐を提供する。【解決手段】従来からある豆腐生地の表面１に、抹茶などの色素を使って模様をシ−ト状に作成したもの２を貼りつける。小さい子どもは、視覚的なものに興味を持ちやすく、食べることに楽しみを付加させることができる。【選択図】図１
0003187802.tif 000002
【実用新案登録請求の範囲】
【請求項１】
豆腐の製造と並行して、色素を使って模様をシート状に作成し前記豆腐の表面に前記模様をシ−ト状にしたものを貼りつけることを特徴とする模様付き豆腐
【考案の詳細な説明】
【技術分野】
【０００１】  本考案は、豆腐を製造する時に表面に抹茶や梅などの色素で模様をつけてつくる豆腐に関するものである。
【背景技術】
【０００２】  従来、豆腐は白いままか、柚子などで風味付けをしたものはあったが、表面に模様を入れたものはなかった。
【考案の概要】
【考案が解決しようとする課題】
【０００３】  食べる人に視覚的な楽しみを持った豆腐を提供する。
【課題を解決するための手段】
【０００４】  本考案は、豆腐の製造段階において色素で模様を形づくり、それをシート状にしたものを前記豆腐の上に載せ模様付き豆腐を製造するというものである。
【考案の効果】
【０００５】  小さい子どもは、視覚的なものに興味を持ちやすく、おにぎりなども顔を模したりして食欲につなげる工夫がなされてきた。それを、豆腐にも応用していろいろ模様を入れると、食べることに楽しみを付加させることができる。
【図面の簡単な説明】
【０００６】
【図１】従来の豆腐に製造段階で模様を付けたもの。
【考案を実施するための形態】
【０００７】  従来の豆腐の表面に、シート状の模様を貼りつける。
【実施例】
【０００８】  以下添付図に従って、一実施例を説明する。
１は、豆腐生地    ２は、シート状になった模様を貼りつけたもの
【符号の説明】
【０００９】１  豆腐生地
２  貼り付けられた模様
【図１】
0003187802.tif 000003
(57)【要約】      （修正有）【課題】第三者の手を借りず、経絡に関する知識がない人でも症状の緩和効果（経穴加温健康法）を得られる衣類を提供する。【解決手段】人体に着衣される本体１０と、本体に装着され、保温材を収納するポケット２０とを備え、ポケットは、本体が人体に着衣された時に人体の経絡が有る位置に配置され、その表面には経絡を保温した時の効能を示唆する表示２１，２２，２６を備えている。【選択図】図１
0003187806.tif 000002
【実用新案登録請求の範囲】
【請求項１】
人体に着衣される本体と、本体に装着され、保温材を収納するポケットとを備え、ポケットは、本体が人体に着衣された時に人体の経絡が有る位置に配置され、その表面には当該経絡を保温した時の効能を示唆する表示されている衣類。
【考案の詳細な説明】
【技術分野】
【０００１】
本考案は人体に着衣される衣類に関する。
【背景技術】
【０００２】
従来の衣類は保温材を入れるポケットを有する物が有る。
【先行技術文献】
【特許文献】
【０００３】
【特許文献１】実開平０７−４０７２７号公報
【考案の概要】
【考案が解決しようとする課題】
【０００４】
保温材を入れるポケットに効能が表示されていないので経絡の知識のない人はどこの経絡を温めればどのような効能が得られるかが解らない。
接着性のある保温材を背面に貼る場合手が届きづらく正確に貼る事が困難で誤った部分に貼っても効果効能が得られない可能性が有る。
【０００５】
高齢者は一人では貼りづらい。
【課題を解決するための手段】
【０００６】
人体に着衣される本体と、本体に装着され、保温材を収納するポケットとを備え、ポケットは本体が人体に着衣された時に人体の経絡が有る位置に配置され、その表面には当該経絡を保温した時の効能を示唆する表示がされている衣類。
【考案の効果】
【０００７】
第三者の手を借りず、経絡に関する知識がない人でも症状の緩和効果(経穴加温健康法)を得られる可能性が有る。
【０００８】
衣類に備え付けられたポケットに保温材を入れてから着装する事により正確な部分を温める事が可能になる。
【０００９】
「経穴加温健康法」とは経絡上の経穴（ツボ）を温める事により得られる各種諸症状の緩和・改善を目的とするものである。
【００１０】
「経穴加温健康法」は血流の増加による疼痛の軽減,代謝の促進,軟部組織の柔軟性,リラックス効果などが期待できる。
【図面の簡単な説明】
【００１１】
【図１】本考案の形態に係る衣類の本体前身頃を説明する図である。
【図２】本考案の形態に係る衣類の本体後ろ身頃を説明する図である。
【図３】本考案の形態に係る衣類のパンツ前身頃を説明する図である。
【図４】本考案の形態に係る衣類のパンツ後ろ身頃を説明する図である。
【考案を実施するための形態】
【実施例】
【００１２】
以下、実施例を説明する。以下の説明では、衣類１を袖なしシャツに適用した例を説明する。
衣類１は人体に合わせて形成された本体10と、保温材を収納するポケット20とを備える衣類である。
【００１３】
上着11とパンツ12とは本体10の一例である。尚本体10は、靴下・腹巻・レッグウォーマー・マフラー・手袋等の着衣可能な任意の物であって良い。
【００１４】
ポケット20は経絡（ケイラク）に沿って任意の場所に付ける。
【００１５】
ポケット20には効能を示唆する表示がされた効能表示部21,22,23,24,25,26,27
が付されている。効能表示部21（「肩こり」）が付されたポケット20は本体10が人体に着衣された時、経絡上の肩井（けんせい）に配置される。
【００１６】
効能表示部22（「五十肩」）が付されたポケット20は本体10が人体に着衣された時、経絡上の肩ぐう（けんぐう）に配置される。
【００１７】
効能表示部23（「風邪予防」）が付されたポケット20は本体10が人体に着衣された時、経絡上の風池（ふうち）に配置される。
効能表示部24（「股関節痛」）が付されたポケット20は本体10が人体に着衣された時、経絡上の環跳（かんちょう）に配置される。
【００１８】
効能表示部25（「ぎっくり腰」）が付されたポケット20は本体10が人体に着衣された時、経絡上の承山（しょうざん）に配置される。
【００１９】
効能表示部26（「冷え性・膀胱炎」）が付されたポケット20は本体10が人体に着衣された時、経絡上の中極（ちゅうきょく）に配置される。
【００２０】
効能表示部27（「冷え性・更年期障害」）が付されたポケット20は本体10が人体に着衣された時、経絡上の三陰交（さんいんこう）に配置される。
実施例では袖は付けていないが、袖は有ってもなくても良い、袖丈は任意とする。
【００２１】
実施例では衿は「スタンドカラー」であるが、衿のデザインは任意とする、衿は有ってもなくても良い。
実施例ではパンツの丈は長いが、丈は任意とする。
【００２２】
素材は実施例では布帛ニット素材であるが、その他布帛全般及び・レース・皮革・ストレッチ素材・合成皮革・不織布・ナイロンクロス・ビニール等でもよい。
開端部は図１では前開きであるが、後ろ開き・肩開き他任意とし、また開端部は無くても良い。
【００２３】
開端部の接続は実施例ではボタンとボタン穴であるが、ホック・ファスナー・ループ留め・面ファスナー・リボン・ジョイント金具・ホック等でも良い。また無くても良い。  
【符号の説明】
【００２４】
1     衣類
10     本体
11     上着
12     パンツ
20     ポケット
21〜27効能表示部
【図１】
0003187806.tif 000003
【図２】
0003187806.tif 000004
【図３】
0003187806.tif 000005
【図４】
0003187806.tif 000006
(57)【要約】      （修正有）【課題】タクシーなど営業者に（ＳＯＳ）点滅標示器具によって非常点滅させる事で（強盗）事件など未然に防ぐ事が出来、また事故など二次災害も未然に防ぐ事が出来る車輌専用点滅表示器具を提供する。【解決手段】点滅器板にＳＯＳの文字に沿って間隔をあけ、電球を設置する。カバーレンズも器板に合わせ、ＳＯＳの文字に沿って配された電球の位置に沿い加工する。ＳＯＳの文字に沿って配された電球を取り付けた器板を車輌のリアガラスの内側など分かり易い所に、吸盤等を用いて固定する。電球は、車内電源に点滅制御の為のリレー等を介して電気的に接続する。【選択図】図１
0003181696.tif 000002
【実用新案登録請求の範囲】
【請求項１】
（１）  （ＳＯＳ）点滅器板に電球の位置の間隔をあけＳＯＳに沿って電球の設置をする。
（２）  外枠レンズも点滅器板に沿って電球の位置に合せてレンズの加工をする。
（３）  既存の車両の（通称ハザートランプ）に（ＳＯＳ）点滅器具の配線を接続すれば併用する事ができる。
【考案の詳細な説明】
【技術分野】
【０００１】車両専用（ＳＯＳ）点滅標示器具
【背景技術】従来の車両の（通称ハザートランプ）は車両の両サイドに黄色の点滅のみである。
【先行技術文献】
（ＳＯＳ）点滅標示器具は車両のリヤガラス内側に取り付ける事で相手に分かりやすくする。
【特許文献】
【特許文献】従来の（車両ハザートランプ）＋（ＳＯＳ）点滅標示器具である。
【考案が解決しようとする課題】
相手に（ＳＯＳ）点滅標示する事で分かり易い。
【課題を解決ための手段】
（ＳＯＳ）点滅標示器具は非常時に相手にすぐ分かって貰える。
【考案の効果】
（ＳＯＳ）点滅標示器具は非常時の場合は、いち早く相手側に知らせる事が出来、また二次災害など未然に防げる。
【図面の簡単な説明】
【図１】器板に（ＳＯＳ）の字に形取り電球の間隔をあけ設置する。
【図２】カバーレンズも図１に合せて電球の位置にカバーを加工する。
【考案を実施するための形態】
車両リヤガラスの内側に分かり易い所に設置する。
【実施例】
【産業上の利用可能性】タクシーなど営業車に（ＳＯＳ）点滅標示器具によって非常点滅する事で（強盗）事件など未然に防ぐ事が出来、また事故など二次災害も未然に防ぐ事が出来る。
【図１】
0003181696.tif 000003
【図２】
0003181696.tif 000004
【手続補正書】
【提出日】平成24年11月22日(2012.11.22)
【手続補正１】
【補正対象書類名】実用新案登録請求の範囲
【補正対象項目名】全文
【補正方法】変更
【補正の内容】
【実用新案登録請求の範囲】
【請求項１】
器板に、電球の配置が「ＳＯＳ」の字となるように、複数の電球を設置したことを特徴とする車両専用点滅表示器具。
(57)【要約】      （修正有）【課題】自転車の走行通行を安全に通行出来るために点滅で第三者に方向指示が確認できる自転車用ウィンカーを提供する。【解決手段】自転車の前輪カバ−の左右に取り付けられる一対の電球Ｃ３、Ｃ４と、自転車の後輪の左右に取り付けられる一対の電球Ｃ５、Ｃ６とを備えると共に、スイッチＡの左右の設けた一対の電球Ｃ１、Ｃ２と、電源Ｂとが自転車のハンドルに取り付けられ、スイッチＡの倒された方向に対応する位置の電球が点滅されることを特徴とし、さらに前記電球は点滅球を使用し、電源Ｂは乾電池、充電式バッテリー、太陽光発電等の使用とし、使用するスッイチＡも、左右への切り替えが出来、真ん中でとまるＯＮ、ＯＦＦ、ＯＮと着替えが出来るスイッチの使用やプッシュスイッチ等の使用を特徴とし各機器に防水機能をももたせる。【選択図】図１
0003181695.tif 000002
【実用新案登録請求の範囲】
【請求項１】
ウインカ―として点滅球を使用してその形状の大小  ワット数の大小に関係なく使用の範囲とする
【請求項２】
電源は乾電池  充電式バッテリ―  太陽光発電気等の形状の大小に関係なく使用の範囲とする
【請求項３】
使用するスイッチの形状の大小は問わず  左右への切り替えが出来真ん中でとまるＯＮ  ＯＦＦ  ＯＮと出来るスイッチの使用の範囲とプッシュスイッチ使用の範囲とする
【請求項４】
スイッチと点滅球と一つにした形態の範囲と電源等を含め防水を施したものとする
【考案の詳細な説明】
【考案の詳細な説明】
【０００１】本考案は自転車用ウインカ−として自転車の前後の左右に設置
スイッチは  自転車のハンドルに設置する
自転車の使用走行中  又  停止中  必要に応じ左折右折の方向指示に点滅球を用いて電源にスイッチを左折は左側へ右折は右側へと通電させ
通電と共に左側は左側の点滅球が自転車の前後で点滅して左折  右側は右側の点滅球が自転車の前後で点滅して右折の指示となり第三者に自転車通行が分かり自転車走行の安全を  より高め求めた考案である
自転車の使用者はスイッチの両側の点滅球で左右を確認できる
【技術分野】
【０００２】本考案は自転車の走行通行時の左右方向指示器として自転車走行通行の安全のために関するものである
【考案の概要】
【考案が解決しようとする課題】
【０００３】本考案の前には自動車やオートバイに方向指示器とあるが機器が大きく重いので自転車向きでありません  また
現在での自転車に設置されてある自転車は無く不安全に走行通行されている課題を本考案で解決したことである
【課題を解決するための手段】
【０００４】自転車用ウインカ−として  形状は問わずに点滅球  電源として乾電池  バッテリ−  太陽光発電等の併用をＯＮ．ＯＦＦ．ＯＮの有るスイッチを使用して通電コ−ドは細いコ−ドを使用手段とした
【考案の効果】
【０００５】自転車の走行通行時に点滅球の点滅で第三者に方向指示が確認されて従来より一層の安全走行通行できることである
【図面の簡単な説明】
【０００６】
【図１】本考案は自転車用ウィンカーとした平面図である
【考案を実地するための形態】
【０００７】
【実施例】Ａの横にＣ１とＣ２を接着  一つにまとめた器具として自転車のハンドルに取付ける電源Ｂも取付ける
平面図  上のＣ３とＣ４は自転車前輪カバ−の辺りに左右に取付ける
平面図  下のＣ５とＣ６は自転車後輪カバ−の辺りに左右に取付ける
【符号の説明】
【０００８】Ａ  スイッチ
Ｂ  電源
Ｃ  １２３４５６は点滅球
Ｄ  各コ−ド接続部
Ｅ  コ−ド
【図１】
0003181695.tif 000003
【手続補正書】
【提出日】平成24年11月28日(2012.11.28)
【手続補正１】
【補正対象書類名】実用新案登録請求の範囲
【補正対象項目名】全文
【補正方法】変更
【補正の内容】
【実用新案登録請求の範囲】
【請求項１】
自転車の前輪カバ−の左右に取り付けられる一対の電球と、自転車の後輪の左右に取り付けられる一対の電球とを備えると共に、スイッチの左右の設けた一対の電球と、電源とが自転車のハンドルに取り付けられ、スイッチの倒された方向に対応する位置の電球が点滅されることを特徴とする自転車用ウインカ−
【請求項２】
請求項１に記載の電球は点滅球を使用して、その形状の大小、ワット数の大小に関係なく使用とし、電源は乾電池、充電式バッテリ−、太陽光発電等の形状や大小に関係なく使用を特徴とし、使用するスッイチも形状や大小は関係なく、左右への切り替えが出来、真ん中でとまるＯＮ、ＯＦＦ、ＯＮと着替えが出来るスイッチの使用やプッシュスイッチ等の使用を特徴とし各機器に防水をもって特徴とした請求項１記載の自転車用ウインカ−。
(57)【要約】      （修正有）【課題】介護用ベッドの背もたれ部の角度に影響されず、枕を固定し、交換を素早く容易にする介護用枕固定カバーを提供する。【解決手段】介護用ベッドの背もたれ部に、装着する介護用枕固定用カバーであって、枕収容部を備えた枕固定カバーと、枕固定カバーと一体に取り付けられ、背もたれ部に脱着可能な固定用帯部とを備える。【選択図】図１
0003181692.tif 000002
【実用新案登録請求の範囲】
【請求項１】
介護用ベッド背もたれ部の形状に合わせて、覆いかぶせる構造で枕の位置を自由に調整でき、枕を固定できる介護用枕固定カバー。
【請求項２】
介護用ベッドの背もたれ部に、枕の位置を自由に調整でき、枕を固定できる形状を特徴とする請求項１記載の介護用枕固定カバーの固定用帯を伸縮させて、簡単に脱着できるようにした介護用枕固定カバー。
【考案の詳細な説明】
【技術分野】
【０００１】本考案は介護に関するもので、介護用枕固定カバーを用いる事で、介護ベッドの背もたれ部を起こして使用する際に、枕が落ちないようにし、又、軽くて取り外しを容易にでき、洗濯することで繰り返し使用できるようにするものである。
【背景技術】
【０００２】介護現場では、寝たきりの方々の多くが背もたれ可動式の介護ベッドを活用しており、背もたれ部分の角度の変化により、枕のズレ落ちが生じる。
枕カバーは衛生面から毎日の交換が必要であるが、既存の枕固定具では交換に時間を要し、介護を受けている方の体力的な負担になっている。
簡単に脱着できて、洗濯して繰り返し使えるものが必要。
【考案が解決しようとする課題】
【０００３】介護用ベッドの背もたれ部の角度に影響されずに枕を固定できて、交換を素早く容易にして、介護を受けている方の体力的な負担を軽減する。
洗濯できて繰り返し使用できる事での衛生面の向上、費用軽減化。
【課題を解決するための手段】
【０００４】介護用ベッドの背もたれ部に、介護用枕固定カバーを装着し、枕を設置する事で枕を固定でき、ベッドへの脱着を固定用帯でワンタッチで行うことで交換を素早く容易にでき、繰り返し洗濯して使用する。
【考案の効果】
【０００５】介護用ベッドの背もたれ部に、介護用枕固定カバーを装着し、枕を設置する事で枕が固定される。
又、介護用枕固定カバーのベッドへの脱着は、固定用帯でのワンタッチで可能であり、交換も素早く容易にできて介護を受けている方の体力的な負担を軽減でき、繰り返し洗濯して使用できる事で、衛生面の向上や費用の軽減を行う事ができる。
【図面の簡単な説明】
【０００６】
【図１】介護用枕固定カバーの展開図、組立図である。
【図２】介護用枕固定カバーの使用例の図である。
【考案を実施するための形態】
【０００７】介護用枕固定カバーの使用方法例を図２に示す。
介護用枕固定カバーを、介護用ベッドの背もたれ部に取り付ける。
【符号の説明】（１）介護用枕固定カバー本体
（２）固定用帯部
（３）枕収納部
（４）介護用ベッド
（５）介護用ベッド背もたれ部
【図１】
0003181692.tif 000003
【図２】
0003181692.tif 000004
【手続補正書】
【提出日】平成24年11月22日(2012.11.22)
【手続補正１】
【補正対象書類名】実用新案登録請求の範囲
【補正対象項目名】全文
【補正方法】変更
【補正の内容】
【実用新案登録請求の範囲】
【請求項１】
介護用ベッドの背もたれ部に装着する介護用枕固定カバーであって、枕収容部を備えた介護用枕固定カバーと、前記介護用枕固定カバーを一体に取り付けられ、前期背もたれ部に脱着可能である固定用帯部を、備えたことを特徴とする介護用枕固定カバー。
【請求項２】
前期固定用帯部は伸縮自在であることを特徴とする請求項１に記載の介護用枕固定カバー。
(57)【要約】      （修正有）【課題】ゴキブリ等の不快害虫の進入を防ぎ、衛生的環境を維持できる炊飯器を提供する。【解決手段】炊飯器本体５の水受け部６周囲全体に凹部４を形成し、外蓋２内側の周囲全体に凸部１を形成する。凸部１にシリコンゴムを被せ、外蓋２を閉じたときに凹部４と凸部１がかみ合うようにする。【選択図】図１
0003181699.tif 000002
【実用新案登録請求の範囲】
【請求項１】
炊飯器等は外蓋を閉めた時に本体と、外蓋の間に隙間がある、また蒸気排出口においても炊飯時以外も隙間が開いている、こうした隙間からも不快害虫は進入して本体内側縁や内蓋、排出口にに付いたおねばなどを餌にしている、このように精神衛生面での不快害虫忌避を目的としている炊飯器等の物品。
【請求項２】
すなわち、害虫の侵入を防ぎより衛生的な環境を保つために考案されたものであり、外蓋２と炊飯器本体５の隙間は炊飯器本体５内側と外蓋２内側に凸１凹４を作りかみ合わせ、（凸２部分にシリコンゴム等を被せ着脱可能にすることにより洗うことや交換を可能する）、密閉度を高める、  蒸気口はスライド式の開閉装置を加えることにより隙間を塞ぐことができる、また炊飯時以外には蒸気口を全く隙間の無いものへ交換して蒸気口を全く塞いでしまうことで害虫の侵入を防ぐ事を特徴とする請求項１の炊飯器等の物品。
【考案の詳細な説明】
【技術分野】
【０００１】
本考案は、不快害虫忌避手段を備えた炊飯器等物品に関する。
【背景技術】
【０００２】
今までは、炊飯器本体と本体蓋とを閉めた時の隙間が開かない構造の害虫忌避構造の物は無かった、
【０００３】
外蓋の蒸気排出口の隙間を閉める、又は蒸気排出口を隙間が開いていないものへの交換をして蒸気排出口を塞ぐ構造のものは無かった。
【先行技術文献】
【特許文献】
【０００４】
【特許文献１】特開２００１−７７５４９号広報
【特許文献２】特開２０１０−１８７９９５号広報
【考案の概要】
【考案が解決しようとする課題】
【０００５】
特許文献１及び特許文献２は不快害虫忌避を目的としているもののあくまでプリント基板等の電子部品を不快害虫から保護することに限られている、今までの炊飯器等は外蓋を閉めた時に本体と、外蓋の間に隙間がある、また蒸気排出口においても炊飯時以外も隙間が開いている、こうした隙間からも不快害虫は進入して本体内側縁や内蓋、排出口にに付いたおねばなどを餌にしている、このように精神衛生面での不快害虫忌避を目的としているものは無かった。、
【課題を解決するための手段】
【０００６】
すなわち、本考案は、上述したような現状の技術が有する問題を解決するために提案されたものであり、害虫の侵入を防ぎより衛生的な環境を保つために考案されたものである。
外蓋と本体の隙間は本体内側と外蓋内側に凸凹を作りかみ合わせ、（凸部分にシリコンゴム等を被せ着脱可能にすることにより洗うことや交換を可能する）、密閉度を高める
【０００７】
蒸気排出口はスライド式の開閉装置を加えることにより隙間を塞ぐことができる、また炊飯時以外には蒸気排出口を全く隙間の無いものへ交換して蒸気排出口を全く塞いでしまうことで害虫の侵入を防ぐこたができる。
【考案の効果】
【０００８】
段落番号０００６と０００７を手段として隙間を極力無くすことで害虫の侵入を防ぐ事ができより衛生的な環境を保つことができる。
【図面の簡単な説明】
【０００９】
【図１】本体及び外蓋の構造にかかわる図である。
【図２】蒸気排出口の構造にかかわる図である。
【考案を実施するための形態】
【００１０】
以下、本考案に係る不快害虫忌避手段を備えた炊飯器等の好ましい実施形態について、図１、図２を参照しながら説明する。
【実施例】
【００１１】
図１は炊飯器本体５を外蓋２を開けた状態を真上から見た図でえある、炊飯器本体５水受け部６に凹み４を周囲全体に整形し、外蓋２内側には周囲全体に凸１を整形し外蓋２を閉じたときに炊飯器本体５水受け部６と外蓋２内側部の凹４と凸１がかみ合い隙間を極小にしてゴキブリ等の不快害虫の進入を防ぐことができる、またホコリ等の入り込みも防ぐことができる。
【００１２】
図２は外蓋２の外側に設けられた蒸気口８を開閉レバー９により開閉可能にして炊飯時以外のときに蒸気口８を閉めてゴキブリ等の不快害虫の侵入を防ぐことができる構造にした。
【符号の説明】
【００１３】
１  凸部
２  外蓋
３  内蓋
４  凹部
５  炊飯器本体
６  水受け部
８  蒸気口
９  開閉レバー
【図１】
0003181699.tif 000003
【図２】
0003181699.tif 000004
【手続補正書】
【提出日】平成24年12月6日(2012.12.6)
【手続補正２】
【補正対象書類名】実用新案登録請求の範囲
【補正対象項目名】全文
【補正方法】変更
【補正の内容】
【実用新案登録請求の範囲】
【請求項１】
炊飯器本体の水受け部に凹みを周囲全体に整形し、外蓋内側には周囲全体に凸を整形するとともに前記凸にシリコンゴムを被せて着脱可能とし、外蓋を閉じたときに本体水受け部の凹みと外蓋内側部の凸がかみ合うようにしたことを特徴とする炊飯器。
(57)【要約】      （修正有）【課題】袋状のチューブを、体に装着可能な形に形成し、空気の量を調節することで浮力を自在に変化させる事も出来る浮力補助遊具を提供する。【解決手段】浮力補助遊具１はビニール部材２からなり、ベルト５、６と、接続具３によって体に装着可能な形態とする。空気重鎮口７は手元での給排気が容易にできるよう、口の近く、すなわち肩付近にくるように形成する。また、接続具４と接合部は輪に形成しそこに接続具のついたひもを接続することによって幼児など、一人での使用が危険な場合に、その紐の端を保護者が持つことで、保護者の目の届く範囲に留めておくこともできる。さらに、接合部の位置はビニール皮部の長さや大きさを変えることによって位置も変えることができる。【選択図】図１
0003181694.tif 000002
【実用新案登録請求の範囲】
【請求項１】
人が海、プール、川等の水中で浮くために用いるもので、浮き輪等のような、空気を入れる事によって浮力をもたせたビニール等の素材からなるチューブ状のものを、体に装着可能な形に形成し、空気の量を調節することで浮力を自在に変化させる事の出来る浮力補助遊具。
【考案の詳細な説明】
【技術分野】
【０００１】  本考案は、袋状のビニールからなり、体に装着して利用するものであり、空気の量を変えることによって浮力を自在に変えられる浮力補助遊具である。
【背景技術】
【０００２】  従来、浮力補助具には、ライフジャケットや浮き輪等があった。ライフジャケットには一定の強い浮力が備わっており、人命を守るために利用される等、絶対的な浮力を保持する物である。浮き輪は輪の中に入って浮くためのものである。多くの場合、海、プール、川等の水中で浮いて遊ぶ場合に浮き輪が多く利用されている。【０００３】  しかし、ライフジャケットはその使用目的から安易に浮力の調節ができない。また、浮き輪は装着することができないため、動作によっては体から輪が抜けてしまう。そのため浮き輪では、手足を自由自在に動かすことができない。【０００４】  従って、ライフジャケットのように装着でき、かつ浮力を容易に調節できる浮き輪はない。【０００５】  特許文献１と２は、胴着型水着と浮き輪が開示されている。
【先行技術文献】
【特許文献】
【０００６】
【特許文献１】実用新案第３０７４２８９号広報
【特許文献２】実用新案第３０９７３５６号広報
【考案の概要】
【考案が解決しようとする課題】
【０００７】  浮き具を持たずに海や川等へ入った場合、特に足のつかない水深の深い場所へ出てしまった場合に、長時間の立ち泳ぎで体力を奪われてしまう。また水中眼鏡装着時には、その中に水が入ってしまった場合、浮き具や支えがなければ、水を出し、しっかりと装着しなおすのは極めて困難になる。また、上記のような事から事故につながる恐れがある。【０００８】  ライフジャケットは絶対的な一定の浮力があるため、水に浸かるという事が目的の海水浴やプール等の、身近なレジャーには向いていない。浮き輪は、装着できないため、一度輪から抜けてしまったり、手から離れてしまうと浮き輪自体の役目を果たさないことになる。【０００９】  体に着用し利用するものには、特許文献１で胴着型水着が開示されているが、これは水着に浮力を持たせている為、着脱が容易にできない。また特許文献２の浮き輪は従来の浮き輪より、安全性と動きやすさの点で改良されているが、装着できるものではない。
【課題を解決するための手段】
【００１０】  上記課題を解決するために、請求項１に記載の、空気を入れる事によって浮力をもたせたビニール等の素材からなる袋状のチューブを、体に装着可能な形に形成してあり、また空気の量を調節することで浮力を自在に変化させる事も出来る、といったこれらの特徴をもつ浮力補助遊具を提供する。
【考案の効果】
【００１１】  以上に記述した様に、浮き輪のようなビニール等からなる袋状のチューブが体に装着可能な形に形成されているため、浮き輪のように体から離れてしまうことがない。また、装着型なので着脱が容易にでき、しかも注入する空気の量は従来の浮き輪よりも少なくて良いため、給排気が容易である。【００１２】  そのため、水泳の苦手な人の練習でも、段階的に空気の量を調節することで、より効果的で実践に近いかたちで泳ぐことができる。また、泳ぎが苦手だが、海やプール等で浮き輪を使うことに抵抗があった人達も、装着して利用するため、浮き輪のように体から外れる恐怖心がなくなり、積極的に海やプールに入ることができる。
【図面の簡単な説明】
【００１３】
【図１】  浮力補助遊具装着時正面図（実施例１）
【図２】  浮力補助遊具装着時背面図
【図３】  浮力補助遊具展開図
【図４】  ビニール皮部拡大図（実施例２）
【考案を実施するための形態】
【００１４】  以下、本考案を具体化した実施形態を図面に基づき説明する。
【実施例１】
【００１５】  図１は本考案の１実施例を示した。図１、図２、図３の１から９は同様である。
図１に示される様に、本実施の形態の浮力補助遊具１はビニール部材２からなり、ベルト５、６と、接続具３によって体に装着可能な形態になっている。【００１６】  浮力補助遊具１は軽量な点等から、従来の浮き輪等に使われているビニール素材が望ましいがこれに限らない。【００１７】  接続具３また接続具４はバックル等、簡単には外れにくいものが望ましいがこれに限らない。【００１８】  空気重鎮口７は手元での給排気が容易にできるよう、口の近く、すなわち肩付近にくるように形成するのが望ましい。この際左右どちらに付いていてもかまわない。
【実施例２】
【００１９】  また、接続具４と接合部８は輪に形成しそこに接続具８ａのついたひもを接続することによって幼児など、一人での使用が危険な場合に、その紐の端を保護者が持つことで、保護者の目の届く範囲に留めておくこともできる。さらに、接合部８の位置はビニール皮部９の長さや大きさを変えることによって位置も変えることができる。【００２０】  上記実施例において、この考案の要旨を変更しない範囲で種々の設計変更を施すことができる。
【産業上の利用可能性】
【００２１】  従来の浮き輪に、本考案のような新たな形の浮力補助遊具（浮き袋）を提供することによって、海、プール、川等での遊びや水泳練習法の幅が広がる。また、浮き輪を使うことに抵抗があった人たちも利用することで、必然的に海水浴場や、プール等の施設利用者が増える。その需要は継続的であり、製造、運送、販売、レジャー産業等に大きく貢献できる。
【符号の説明】
【００２２】１    浮力補助遊具
２    ビニール部材
３    接続具
４    接続具
５    ベルト
６    ベルト
７    空気重鎮口
８    接合部
８ａ  接続具
９    ビニール皮部
【図１】
0003181694.tif 000003
【図２】
0003181694.tif 000004
【図３】
0003181694.tif 000005
【図４】
0003181694.tif 000006
【手続補正書】
【提出日】平成24年11月28日(2012.11.28)
【手続補正１】
【補正対象書類名】実用新案登録請求の範囲
【補正対象項目名】請求項１
【補正方法】変更
【補正の内容】
【請求項１】
ビニール部材からなるチューブ状のものに、給排気のための空気重鎮口と、体に装着するための接続具とを備えたことを特徴とする浮力補助遊具。
(57)【要約】      （修正有）【課題】仰臥姿勢で身体胴部を固定して、足首部を牽引することにより腰部を引き伸ばし腰部の痛みやこりを軽減することができる健康器具を提供する。【解決手段】腰の牽引機構は、フレーム枠１ａ、フレーム枠１ａを高くする台１ｂ、プーリーが付属したジャッキ２、プーリーを回転させるためのロープ３、身体胴部を固定させるバックル４が付属したベルト、及び足首部に取り付けるバックル５が付属したベルトから構成されていて、身長より長い長方形のフレーム枠１ａの地部にジャッキ２を付属し、身体胴部を固定するためのベルト、及び足首部を固定するためのベルトを前記フレーム枠１ａに付属し、前記ジャッキ２に装着したプーリーを回転させるためのロープ３を設けたことを特徴とする。【選択図】図１
0003181698.tif 000002
【実用新案登録請求の範囲】
【請求項１】
身長より長い長方形のフレーム枠１ａの地部にジャッキ２を付属して、身体腰部をベルト４で固定させて、足首部に装着したベルト５で腰部を牽引する機構である。
【請求項２】
牽引者は、ジャッキ２に装着したプーリーを、ロープで回転させて牽引する機構である。
【考案の詳細な説明】
【技術分野】
【０００１】本考案は、家庭内で簡単に身体の腰部を牽引させる健康器具である。
【背景技術】
【０００２】家庭内で身体腰部を牽引させる健康器具には、ぶらさがり健康器具が既に考案されているが牽引時に牽引者本人の腕部に痛を生じ、連続して使用するのが困難である、本考案は、仰臥姿勢で牽引できるため、使用者本人の痛みは発生しないのである。
【考案の概要】
【考案が解決しようとする課題】
【０００３】身長より長い長方形のフレーム枠の地部にジャッキを取り付けて、身体胴部をベルトにて固定させた後、足首部に装着したベルトを牽引させて腰部を牽引する機構である。
【考案の効果】
【０００４】仰臥姿勢で、身体腰部を牽引させるので、牽引者の腕部の苦痛がなくなるのである。
【図面の簡単な説明】
【０００５】
【図１】図１は身体腰部を牽引させる装置の全体図である。（実施例１）
【図２】図２は牽引装置のパーツ図である。
【考案を実施するための形態】
【０００６】[図１]フレーム枠１ａ及びフレーム台１bを制作する、次にジャッキ２をフレーム枠１ａに固定する、次にロープ３及び足ベルト５及び胴ベルト４をセットする。
【実施例】
【０００７】[図１]牽引者は、ジャッキ2を短縮させる、次に足ベルト５を装着する、次に仰臥して胴ベルト４を装着する、次にジャッキ２のプーリー２ａをロープ３で回転させて足ベルト５を牽引するのである。
【産業上の利用可能性】
【０００８】簡単な装置で、しかも家庭内で簡単に腰部を牽引できるのである。
【符号の説明】
【０００９】[図面１]１．１ａは、フレーム枠である。２．１bは、フレーム１を高くする台である。３．２は、プーリー２ａが付属したジャッキである。４．３は、ジャッキ２を作動させるためのロープである。５．４は、身体胴部を固定させるためのベルト及び長さ調整するバックルである。６．５は．足首部を牽引させるためのベルト及び長さ調整するバックルである。
【図１】
0003181698.tif 000003
【図２】
0003181698.tif 000004
【手続補正書】
【提出日】平成24年12月12日(2012.12.12)
【手続補正１】
【補正対象書類名】実用新案登録請求の範囲
【補正対象項目名】全文
【補正方法】変更
【補正の内容】
【実用新案登録請求の範囲】
【請求項１】
腰の牽引機構は、フレーム枠、フレーム枠を高くする台、プーリーが付属した
ジャッキ、プーリーを回転させるためのロープ、身体胴部を固定させるバックルが
付属したベルト,及び足首部に取り付けるバックルが付属したベルトから構成され
ていて、身長より長い長方形のフレーム枠の地部にジャッキを付属し、身体胴部を
固定するためのベルト、及び足首部を固定するためのベルトを前記フレーム枠に
付属し、前記ジャッキに装着したプーリーを回転させるためのロープを設けたことを
特徴とする牽引機構を備えた健康器具。
(57)【要約】      （修正有）【課題】イワシなどの身の軟らかい魚を調理するに当たり、内臓の取り出しと身を捌く動作を、一つの調理器でしやすくした魚調理器を提供する。【解決手段】棒の一端側をへら状２とし、他端側を二股状３とすると共に、二股の間に、先端部分にあけた０．５ｍｍφ程度の穴を通して硬質針金４を取り付けた構造を特徴とし、さらには、棒の一端側のへら状部分をわん曲形状にしたことを特徴とする。棒の両端に二つの別の機能を持たせることにより、作業の効率化を図るものである。【選択図】図１
0003181691.tif 000002
【実用新案登録請求の範囲】
【請求項１】
プラスティック等の棒の一端をへら状とし、他端をピアノ線等の硬質針金を取り付けた二股を持つ魚調理器構造
【請求項２】
へら状部分の先端は平らとせず、若干のわん曲を持たせた“かにスプーン”様の形状を持つ構造
【請求項３】
二股部分は直線状ではなく、図３のような曲線を持つ形状とする。この先端部分に針金（０．５ｍｍφ程度）の太さの穴をあけ、ここに針金を通し、折り曲げやかしめにより固定する構造
【考案の詳細な説明】
【技術分野】
【００１】  本考案は、イワシなどの身の軟らかい魚を調理するに当たり、内臓の取り出しと身を捌く動作を、一つの調理器でしやすくすることに係る。
【背景技術】
【００２】  イワシの身は軟らかく、従来から手指の腹で内臓を取り出し、身を捌くことが行われてきた。しかし、手指は相応の太さがあり、うまく処理するには時間がかかるものと考えられた。
【先行技術文献】
特許文献等の先行技術文献は、平成５年以降の中には確認できない。
【考案の概要】
【考案が解決しようとする課題】
【００３】  イワシの腹部を切り裂きやすくするとともに内臓を取り出し、次に身をきれいに捌けるようにする。
【課題を解決するための手段】
【００４】  調理器の一端を若干わん曲を持たせたへら状にし、この部分で腹部の切り裂きと内臓の取り出しを行う。【００５】  反対の先を二股にしたものにピアノ線等の硬質針金を取り付け、この針金を背骨に沿って引くことにより身を捌く。
【考案の効果】
【００６】  内臓の取り出しと身の捌きが一つの調理器でできることによる時間の短縮と、ピアノ線等の硬質針金で捌くことによる切り身のきれいさに効果が望まれる。
【考案を実施するための形態】
【００７】  以下に、図面に示す符号を用いてその手順を説明するが、本考案を実施するに当たり、この説明・手順に限定されるものではない。
【００８】  調理器１の柄をもち、へら状先端を用いて魚の腹を切り裂き、湾曲部分により内臓を取り出す。
【００９】  身を捌くには調理器１を逆に持ち替え、針金部分を魚の鰓のところから背骨に直角に押し込み、背骨に沿って尾の方向にスライドさせる。
【０１０】  へら状の先端を用いれば、腹開きの２枚下しもできる。
【図面の簡単な説明】
【０１１】
【図１】  当該調理器全体を示す平面図である。
【図２】  へら状先端部を示す拡大図である。
【図３】  身を捌く二股先端部を示す拡大図である。
【符号の説明】
【０１２】  １  ・・・・・  イワシ調理器本体
２  ・・・・・  へら状先端
３  ・・・・・  二股状先端
４  ・・・・・  ピアノ線等の硬質針金
【産業上の利用可能性】
【０１３】  調理業界では針金状のもので身を捌くことは行われている可能性もあるが、へら状先端部分を一体化したことにより、利用度は上がるものと考えられる。
【図１】
0003181691.tif 000003
【図２】
0003181691.tif 000004
【図３】
0003181691.tif 000005
【手続補正書】
【提出日】平成24年11月19日(2012.11.19)
【手続補正１】
【補正対象書類名】実用新案登録請求の範囲
【補正対象項目名】全文
【補正方法】変更
【補正の内容】
【実用新案登録請求の範囲】
【請求項１】
棒の一端側をへら状とし、他端側を二股状とすると共に、二股の間に、先端部分にあけた０．５ｍｍφ程度の穴を通して硬質針金を取り付けた構造を特徴とする魚調理器。
【請求項２】
棒の一端側のへら状部分をわん曲形状にしたことを特徴とする請求項１記載の魚調理器。
【手続補正３】
【補正対象書類名】明細書
【補正対象項目名】００３
【補正方法】変更
【補正の内容】
【００３】  手指を用いることに比べ、腹部を切り裂きやすくするとともに、内臓を取り出し、身をきれいに捌けるようにする。
【手続補正４】
【補正対象書類名】明細書
【補正対象項目名】００５
【補正方法】変更
【補正の内容】
【００５】  反対側の先を二股状にしたものに硬質針金を取り付け、この針金を背骨に沿って引くことにより身を捌く。
【手続補正５】
【補正対象書類名】明細書
【補正対象項目名】００６
【補正方法】変更
【補正の内容】
【００６】  内臓の取り出しと身の捌きが一つの調理器でできることによる時間の短縮と、硬質針金で捌くことによる切り身のきれいさに効果が望まれる。
【手続補正６】
【補正対象書類名】明細書
【補正対象項目名】００８
【補正方法】変更
【補正の内容】
【００８】  魚調理器  １の棒の部分をもち、へら状先端を用いて魚の腹を切り裂き、わん曲部分により内臓を取り出す。
【手続補正７】
【補正対象書類名】明細書
【補正対象項目名】０１１
【補正方法】変更
【補正の内容】
【０１１】
【図１】  魚調理器全体を示す平面図である。
【図２】  へら状先端部を示す拡大図である。
【図３】  身を捌く二股状先端部を示す拡大図である。
【手続補正８】
【補正対象書類名】明細書
【補正対象項目名】０１２
【補正方法】変更
【補正の内容】
【０１２】  １  ・・・・・  魚調理器本体
２  ・・・・・  へら状先端
３  ・・・・・  二股状先端
４  ・・・・・  硬質針金
(57)【要約】【課題】  汗をかいても、べたつき感を感じ難いゆかたを提供する。【解決手段】  後身頃２、右前身頃３、左前身頃４及びおくみ５，６からなるゆかた本体７の後身頃２、右前身頃３及び左前身頃４の裏面の上半部に、メッシュ生地からなる裏地１１を縫着する。さらに、右前身頃３側のおくみ５の裏面の上半部にもメッシュ生地からなる裏地１１を縫着する。メッシュ生地として抗菌防臭性を有するものとすることができる。【選択図】図１
0003181646.tif 000002
【実用新案登録請求の範囲】
【請求項１】
後身頃、右前身頃、左前身頃及びおくみからなるゆかた本体の後身頃、右前身頃及び左前身頃の裏面の上半部に、メッシュ生地からなる裏地が縫着されてなることを特徴とするゆかた。
【請求項２】
右前身頃側のおくみの裏面の上半部にメッシュ生地からなる裏地が縫着されてなる請求項１に記載のゆかた。
【請求項３】
メッシュ生地は抗菌防臭性を有する請求項１又は２に記載のゆかた。
【考案の詳細な説明】
【技術分野】
【０００１】
本考案は、裏地としてメッシュ生地を用いたゆかたに関する。
【背景技術】
【０００２】
従来、ゆかたを外出用として用いる場合、花火大会、盆踊り等、夏場の夕方以降の比較的涼しくなってから着用することが多かった。
しかし、近頃は昼間から納涼大会等の各種イベントが開催され、イベントの主催者側も昼間からゆかたを着用してイベントに臨むことも多くなってきている。
【０００３】
ゆかたは、男性の場合、下着（シャツ）を着用せず、直接肌に着用するのが一般的であるが、夏場暑い昼間から着用するとなると、ゆかたは綿素材が多いため、吸汗性はあるが、速乾性が悪く、べたつき、不快に感じることが多い。
このため、吸汗性に優れ、速乾性の有するポリエステル素材等も開発されてきている。しかし、べたつき感は解消されていないのが現状である。
【考案の概要】
【考案が解決しようとする課題】
【０００４】
そこで本考案は、汗をかいても、べたつき感を感じ難いゆかたを提供することを目的とする。
【課題を解決するための手段】
【０００５】
上記の課題を解決するために、請求項１に係る考案は、後身頃、右前身頃、左前身頃及びおくみからなるゆかた本体の後身頃、右前身頃及び左前身頃の裏面の上半部に、メッシュ生地からなる裏地が縫着されてなる構成としたものである。
請求項２に係る考案は、さらに、右前身頃側のおくみの裏面の上半部にもメッシュ生地からなる裏地が縫着されてなるものである。
請求項３に係る考案は、メッシュ生地として抗菌防臭性を有するものとしたものである。
【考案の効果】
【０００６】
請求項１に係る考案は、ゆかた本体の後身頃、右前身頃及び左前身頃の裏面の上半部に、メッシュ生地からなる裏地が縫着されてなる構成としたので、上半身の大部分においてメッシュ生地が素肌とゆかた地との間に介在することになる。このため、汗をかいても、ゆかた地が直接素肌に触れることがなく、べたつき感がなく、快適である。
請求項２に係る考案は、右前身頃側のおくみの裏面の上半部にもメッシュ生地からなる裏地が縫着されてなるので、該部（右前身頃側のおくみ部）のゆかた地も直接素肌に触れることがなく、より快適となる。
請求項３に係る考案は、メッシュ生地として抗菌防臭性を有するので、臭いの原因となる細菌の増殖が抑制され、さらに快適となる。
【図面の簡単な説明】
【０００７】
【図１】本考案の第１実施例によるゆかたの左前身頃を展開した状態を示す正面図である。
【図２】第１実施例によるゆかたの左右前身頃を展開した状態を示す正面図である。
【図３】本考案の第２実施例による図２相当の正面図である。
【図４】本考案の第３実施例による図２相当の正面図である。
【考案を実施するための形態】
【０００８】
以下、本考案の実施例を図面に基づいて具体的に説明する。図１に示すように、ゆかた１は、後身頃２、右前身頃３、左前身頃４、右前身頃３側おくみ５、左前身頃側おくみ６からなるゆかた本体７、右袖８、左袖９、及び衿部１０を有する。
そして、本考案の第１実施例によるゆかた１は、後身頃２、右前身頃３、左前身頃４、右前身頃３側おくみ５、左前身頃側おくみ６からなるゆかた本体７の内、後身頃２、右前身頃３、左前身頃４の裏面の上半部に、メッシュ生地からなる裏地１１を縫着したものである（図１及び図２）。
【０００９】
なお、ゆかた１の右袖８、左袖９は幅が広くゆったりしているので、該袖部８，９の裏面側にまでメッシュ生地からなる裏地を設ける必要はない。
ここで、メッシュ生地としては、ポリエステル等の合成繊維により形成したものが好ましい。また、メッシュ生地としては抗菌防臭性を有するものが、臭いの原因となる細菌の増殖を抑制し、好ましい。
なお、メッシュ生地は接触冷感素材からなるものとしてもよい。
ゆかた地としては、綿、ポリエステル等の合成繊維、綿と合成繊維との混紡等、一般に使用されるものが用いられる。
【００１０】
第２実施例によるゆかた１は、図３に示すように、右前身頃３側のおくみ５の裏面の上半部にもメッシュ生地からなる裏地１１を縫着したものである。
なお、左前身頃４側のおくみ６の裏面の上半部には、メッシュ生地からなる裏地を縫着する必要は必ずしもない。該部は上前となるので、直接素肌に触れることがないためである。
ただ、図４の第３実施例に示すように、左前身頃４側のおくみ６の裏面の上半部にもメッシュ生地からなる裏地１１を縫着するようにしてもかまわない。
【００１１】
本考案によるゆかた１によれば、上半身の素肌とゆかた地との間にメッシュ生地が介在することになるため、べたつきや蒸れが解消され、快適に着ることができる。
本考案によるゆかたは、特に、下着（シャツ）を着用しないで使用する男性用のゆかたとして好適である。
【符号の説明】
【００１２】
１  ゆかた
２  後身頃
３  右前身頃
４  左前身頃
５  右前身頃側のおくみ
６  左前身頃側のおくみ
７  ゆかた本体
８  右袖
９  左袖
１０  衿部
１１  裏地
【図１】
0003181646.tif 000003
【図２】
0003181646.tif 000004
【図３】
0003181646.tif 000005
【図４】
0003181646.tif 000006